(57)【要約】【課題】展示領域に対する展示物のセットや交換を簡単且つ短時間に行うことが可能な展示ケースを提供する。【解決手段】外気から遮断した状態で展示物を収容する収容部２と、収容部に収容された展示物Ｅを外部に引き出すと共に、展示物を収容部内の所定位置に配置させることが可能な展示物出入機構３４とを備えている。また、展示物出入機構は、展示物を支持した状態でスライドさせることが可能なスライダ３６と、スライダを摺動自在に支持するガイド３８とを備えており、スライダは、展示物を支持する展示物支持体(フック)を備えている。この発明によれば、収容部に収容した展示物Ｅを他の展示物に交換したり、新たな展示物を収容部に収容して所定位置にセットする場合、展示物出入機構により展示物を展示ケースの少なくとも前面、背面、側面のいずれか１つから出し入れすることができる。【選択図】    図３
2005205034.tif 000002
【特許請求の範囲】
【請求項１】
各種の展示物を鑑賞可能に保管するための展示ケースであって、
外気から遮断した状態で展示物を収容する収容部と、
収容部に収容された展示物を外部に引き出すと共に、展示物を収容部内の所定位置に配置させることが可能な展示物出入機構とを備えていることを特徴とする展示ケース。
【請求項２】
展示物出入機構は、展示物を支持した状態でスライドさせることが可能なスライダと、スライダを摺動自在に支持するガイドとを備えていることを特徴とする請求項１に記載の展示ケース。
【請求項３】
スライダは、展示物を支持する展示物支持体を備えていることを特徴とする請求項２に記載の展示ケース。
【請求項４】
展示物出入機構は、展示物を展示ケースの少なくとも前面、背面、側面のいずれか１つから出し入れ可能に構成されていることを特徴とする請求項１〜３のいずれか１に記載の展示ケース。
【発明の詳細な説明】
【技術分野】
【０００１】
本発明は、例えば美術品や印刷物等の展示物を鑑賞可能に保管するための展示ケースに関し、特に、展示領域に対する展示物のセットや交換を簡単且つ短時間に行うことが可能な展示ケースに関する。
【背景技術】
【０００２】
従来から、博物館や美術館などにおいて、例えば美術品や印刷物等の展示物を鑑賞可能に保管するための各種の展示ケースが用いられている。
例えば特許文献１に示すような展示ケースでは、そのケース本体の床部材と展示品載置床との間に、調湿手段としての例えばシリカゲル(二酸化ケイ素)を素材とした調湿剤が収容されており、この調湿剤により最適な湿気を確保することができるようになっている。
また、特許文献１の展示ケースには、その展示領域の上部に照明手段としての蛍光ランプが設けられている。この蛍光ランプは、放電により水銀を励起させて紫外光を放射し、その紫外光が蛍光体を励起して可視光を放射するようになっており、放射された可視光により展示領域内の展示物を照明するようになっている。
更に、特許文献１の展示ケースには、その展示領域の下部に展示手段としての展示品載置床が設けられており、アジャスタにより展示品載置床の水平度を調整することで展示物を安定して載置することができるようになっている。
【０００３】
ところで、特許文献１の展示ケースに適用した展示手段は、展示領域の下部に展示物を載置するための展示品載置床であるため、例えば掛け軸や絵画などのように吊り下げた状態で展示するようなものには適用することができない。
また、新たな展示物を展示領域にセットしたり、他の展示物と交換するような場合、特許文献１の展示手段では、展示物全体を例えば手で持って展示品載置床に載置させるといった作業が必要となるだけで無く、載置した展示物の展示位置や傾きなどの調整も手作業で行わなければならない。このため、展示物のセットに時間がかかると共に面倒である。
【特許文献１】特開平８−２０５９６９号公報
【発明の開示】
【発明が解決しようとする課題】
【０００４】
本発明は、このような問題を解決するためになされており、その目的は、展示領域に対する展示物のセットや交換を簡単且つ短時間に行うことが可能な展示ケースを提供することにある。
【課題を解決するための手段】
【０００５】
このような目的を達成するために、本発明の展示ケースは、外気から遮断した状態で展示物を収容する収容部２と、収容部に収容された展示物Ｅを外部に引き出すと共に、展示物を収容部内の所定位置に配置させることが可能な展示物出入機構３４とを備えている。
展示物出入機構は、展示物を支持した状態でスライドさせることが可能なスライダ(例えば３６)と、スライダを摺動自在に支持するガイド(例えば３８)とを備えており、スライダは、展示物を支持する展示物支持体(例えばフック)４２を備えている。
このような発明によれば、収容部に収容した展示物Ｅを他の展示物に交換したり、新たな展示物を収容部に収容して所定位置にセットする場合、展示物出入機構により展示物を展示ケースの少なくとも前面、背面、側面のいずれか１つから出し入れすることができる。
【発明の効果】
【０００６】
本発明の展示ケースによれば、展示領域に対する展示物のセットや交換を簡単且つ短時間に行うことができる。
【発明を実施するための最良の形態】
【０００７】
以下、本発明の一実施の形態に係る展示ケースについて、添付図面を参照しながら説明する。
図１(ａ)に示すように、本実施の形態の展示ケースは、例えば美術品や印刷物等の展示物Ｅを鑑賞可能に且つ外気から遮断した状態で収容する収容部２と、収容部２を保持する外ケース４とを備えており、外ケース４は、固定台４ａと、固定台４ａ上に設けられた外枠４ｂとから構成されている。この構成において、収容部２を外枠４ｂに嵌め込むことで固定台４ａ上に収容部２を安定した姿勢で保持させることができ、この状態で、収容部２に展示物Ｅを収容することにより、展示物Ｅを鑑賞可能に保管することができる。
なお、外ケース４の材質としては、展示ケースの設置場所や設置環境に応じて、例えば金属製や木製或いは樹脂製など各種の材質を適用することが可能であるため、ここでは、外ケース４の材質について限定しない。また、図面には、展示物Ｅの一例として掛け軸が示されており、かかる展示物Ｅを収容する収容部２内の領域を展示領域と称する。
【０００８】
図１(ｃ)に示すように、収容部２は、外ケース４の外枠４ｂに嵌め込み可能な形状に構成された収容部本体フレーム２ａを備えており、この収容部本体フレーム２ａの前面、上下面、左右面のそれぞれには、無色透明なプレート6,8,10,12,14を着脱可能に取り付けることができるようになっている。プレート6,8,10,12,14の材質としては、例えばガラスや樹脂などを適用することができるが、収容部２内の展示物Ｅに悪影響を及ぼすような光(特に、紫外線)をカットできるような特性を有することが好ましい。
このような特性のプレート6,8,10,12,14としては、例えばポリカーボネートやサイトップコートポリカーボネート(ＣＴＰＣ)を適用すれば良く、それにより、光のスペクトルの紫外線波長域である４００ｎｍ以下の波長を殆どカットすることができるため、紫外線による展示物Ｅの劣化を防止することができる。また、これらプレート6,8,10,12,14は、軽量且つ低膨張で耐衝撃強度に優れているため、収容部本体フレーム２ａに対する取付作業を容易に行うことができると共に、長期の使用でも変形し難く、災害や不測の事故により発生する機械的な衝撃にも充分に耐えられるようになっている。
【０００９】
特に、サイトップコートポリカーボネートは、その表面にテフロン(登録商標)樹脂が極薄にコート(サイトップコート)されており、入射光の９９％を透過し、表面反射率を１％以下に抑え込むことができる。このため、正面に対峙した人影の映り込みの無いクリアな視界を確保することができる。
なお、以下の説明において、収容部本体フレーム２ａの前面に取り付けられたプレートを前面プレート６、上下面のプレートを上面プレート８及び下面プレート１０、左右面のプレートを左面プレート１２及び右面プレート１４と称する。また、収容部本体フレーム２ａの形状及び各プレート6,8,10,12,14の形状や厚みは、任意の形状(例えば、矩形状、円形状、楕円状など)や厚みに設定することができるため、ここでは特に限定しない。
【００１０】
また、収容部本体フレーム２ａに着脱可能に取り付けられた各プレート6,8,10,12,14の外側には、展示物Ｅを照明するための照明手段１６を配設することができる。この場合、照明手段１６の配設方法としては、例えば各プレート6,8,10,12,14の外側に直接配設する方法、外ケース４(外枠４ｂ)の内側に配設する方法が考えられるが、本実施の形態では、その一例として、照明手段１６を各プレート6,8,10,12,14の外側に直接配設している。なお、照明手段１６の配設位置として、図面では、全てのプレート6,8,10,12,14の外側にそれぞれ配設しているが、展示ケースの形状や大きさ或いは使用目的や使用環境に応じて、照明手段１６の配設位置を適宜選択することができる。例えば上面プレート８及び下面プレート１０の外側にのみ照明手段１６を配設したり、左面プレート１２及び右面プレート１４の外側にのみ照明手段１６を配設することができる。
このような照明手段１６は、互いに同一の構成を有しており、収容部２内の展示物Ｅに向けて面状に発光した照明光を照射することができるようになっている。この場合、展示物Ｅに悪影響を及ぼすような紫外線波長域の光が照明光に含まれていても、そのような光(紫外線)は各プレート6,8,10,12,14で殆どカットされるため、紫外線による展示物Ｅの劣化を防止することができる。
【００１１】
照明手段１６の具体例としては、例えば図４(ａ)に示すように、複数の光源即ち発光ダイオード(ＬＥＤ)１８を一列に配列して構成した光源部２０と、光源部２０(各発光ダイオード１８)からの光を導入して面状に発光させる導光板２２と、導光板２２の裏面に配設された反射板２４とを備えている。導光板２２は、透明な合成樹脂(例えばアクリル)で形成されており、その表面には、光散乱部として、所定の深さまで縦横に切れ込みを入れて形成した複数の切れ込み部２６が設けられている。
このような照明手段１６によれば、光源部２０から導光板２２に導入された光は、導光板２２中を全反射しながら進んでいくうちに、複数の切れ込み部２６に当たって散乱して向きを変え、全反射角より小さくなった成分の光が導光板２２の表裏面から面状に発光する。このとき裏面から面状に発光した光は、反射板２４から表面方向に反射するため、結果的に、光源部２０から導光板２２に導入された全ての光が複数の切れ込み部２６を介して表面から面状に矢印Ｌ方向に発光することになる。
【００１２】
この場合、各切れ込み部２６のピッチ(間隔)を狭めると、各々の切れ込み部２６から散乱する光が相互に複雑に重なり合った照明光を得ることができ、逆に、各切れ込み部２６のピッチ(間隔)を広げると、各々の切れ込み部２６から散乱する光が個々に目立つような照明光を得ることができる。従って、各切れ込み部２６のピッチ(間隔)を広狭変化させることにより、展示物Ｅの種類や展示環境に応じた最適な照明光を作り出すことができる。
また、このような照明光の発光方法としては、複数の発光ダイオード(光源)１８から同一発光色の光を発光させても良いし、異なる発光色の光を発光させても良い。異なる発光色の照明光を作り出すためには、光源１８として例えば市販されている７色マルチカラーＬＥＤを適用し、異なる色に発光させれば良い。７色マルチカラーＬＥＤには、光の三原色である赤(Ｒ),緑(Ｇ),青(Ｂ)の発光ダイオードと、これら３つの発光ダイオードを制御する集積回路(ＩＣ)とが内蔵(図示しない)されており、集積回路で各発光ダイオードを選択的に制御することにより、選択した発光ダイオードからの発光が互いに重なり合うことで所望の発光色の照明光を作り出すことができる。
【００１３】
なお、異なる発光色の光を発光させる方法としては、複数の発光ダイオード(光源)１８から色味の異なる光を互い違いに発光させる方法、複数の発光ダイオード(光源)１８の一部の発光色を変化させる方法など展示物Ｅの種類や展示環境に応じて変化させることができる。
また、異なる発光色の照明光を作り出す方法としては、上述したような７色マルチカラーＬＥＤを用いる代わりに、発光色の異なる複数の発光ダイオード１８を用意して、これらを適当な順番に光源部２０に配列させても良い。
【００１４】
以上、本実施の形態の照明手段１６によれば、導光板２２の表面に光散乱部を設けたことにより、展示物Ｅの種類に応じて変化させた照明を行うことができる。例えば展示物Ｅが人物画像では、その人物画像を浮き立たせるように照明することができる。また、例えば立体的な展示物Ｅでは、影を作り出すように照明することで迫力のある照明を行うことができる。更に、照明光に色味を持たせることにより展示物Ｅをカラフルに照明することができる。
なお、上述した照明手段１６と各プレート6,8,10,12,14とを組み合わせて照明ユニットを構成しても良く、このような照明ユニットによれば、展示物Ｅに悪影響を及ぼすような紫外線波長域の光(紫外線)を含まない照明を行うことができ、その結果、紫外線による展示物Ｅの劣化を防止することができる。
【００１５】
また、照明手段１６としては、例えば図４(ｂ)に示すように、光源１８として蛍光ランプを導光板２２の裏面側に沿って複数本配設して光源部を構成すると共に、導光板２２の表面に光散乱部として複数の凹凸２８を施しても良い。この照明手段１６によれば、各蛍光ランプ(光源)１８から発光した光は全て、反射板２４により導光板２２の裏面に導入され、表面方向に進んだ後、複数の凹凸２８で散乱することで表面から面状に発光する。この場合、複数の凹凸２８の高低差や形成間隔を変化させることで、展示物Ｅの種類や展示環境に応じた最適な照明光を作り出すことができる。更に、照明光に色味を持たせる場合には、異なる蛍光色の蛍光ランプ１８を必要な数だけ所望の箇所に配設すれば良い。
【００１６】
また、他の照明手段１６としては、例えば図４(ｃ)に示すように、光源１８として蛍光ランプを導光板２２の端面に配設すると共に、導光板２２の裏面（反射板２４に対向した面）に光散乱部として複数の反射ドット３０を形成しても良い。複数の反射ドット３０の形成方法としては、光吸収率が低く且つ反射率の高い顔料(例えばチタン白(TiO２)や沈降性硫酸バリウム(BaSO４)など)とアクリル系バインダとを練り合わせた反射インクを例えばスクリーン印刷法によって塗布すれば良い。
【００１７】
このような照明手段１６によれば、蛍光ランプ(光源)１８から導光板２２の端面に導入された光は、導光板２２の中を全反射しながら進んでいくうちに、複数の反射ドット３０に当たって向きを変え、全反射角より小さくなった成分の光が導光板２２から面状に発光する。このとき裏面から面状に発光した光は、反射板２４から表面方向に反射するため、結果的に、蛍光ランプ(光源)１８から導光板２２に導入された全ての光が複数の反射ドット３０を介して表面から面状に矢印Ｌ方向に発光することになる。この場合、複数の反射ドット３０の形状や大きさ及び配置間隔などを変化させることで、展示物Ｅの種類や展示環境に応じた最適な照明光を作り出すことができる。なお、図４(ｃ)の照明手段１６では１本の蛍光ランプ１８を用いているため、照明光に色味を持たせることはできない。
【００１８】
上述したような照明手段１６がプレート6,8,10,12,14と共に取り付けられた収容部本体フレーム２ａを外ケース４の外枠４ｂに嵌め込んだ状態(図１(ｃ))において、収容部本体フレーム２ａの背面にバックプレート３２を取り付けることにより(図１(ｂ))、収容部２は、展示物Ｅを外気から遮断した状態で収容可能な状態となる(図１(ａ))。なお、バックプレート３２は、金属材料(例えばアルミニウム)で形成されており、背面断熱材の役割を果たすように構成されている。
【００１９】
このような収容部(展示領域)２に収容した展示物Ｅを他の展示物Ｅに交換したり、新たな展示物Ｅを収容部(展示領域)２に収容して所定位置に配置(セット)する場合、かかる交換及びセット作業を容易に且つ効率的に行うことができるように、本実施の形態の展示ケースには、展示物出入機構３４が設けられている。
展示物出入機構３４は、収容部本体フレーム２ａに組み付けることができるように構成されており、例えば図１(ｂ)に示すように収容部(展示領域)２に収容した展示物Ｅを外部に引き出すことができるようになっている。図１(ｂ)では、一例として、外ケース４(外枠４ｂ)の側面(例えば左側面４ｃ)及び左面プレート１２が開閉可能に構成されており、左側面４ｃを開けた後、左面プレート１２と共に照明手段１６を開けた状態で、収容部(展示領域)２に収容した展示物Ｅを展示物出入機構３４により外部(例えば左側面４ｃから外部)に引き出すことができる。なお、左側面４ｃ及び左面プレート１２を開閉する方法としては、例えばヒンジで左側面４ｃ及び左面プレート１２を支持する方法などを適用することができる。
【００２０】
このような展示物出入機構３４によれば、展示物Ｅを収容部２から外部に引き出すことにより(図１(ｂ))、展示物Ｅを容易に且つ効率的に交換することができる。また、新たな展示物Ｅを収容部２に収容して所定位置にセットする場合でも、外部に引き出された展示物出入機構３４に当該新たな展示物Ｅを取り付けた後、展示物出入機構３４により当該新たな展示物Ｅを収容部２に収容するだけで、その新たな展示物Ｅを収容部２内の所定位置にセットすることができる。
なお、展示物出入機構３４により展示物Ｅを収容部２から出し入れする方法としては、例えば図２(ａ)に示すように、前面プレート６を開けた状態で、展示物出入機構３４により展示物Ｅを外部(例えば収容部２の前面から外部)に引き出すように構成しても良いし、或いは、例えば図２(ｂ)に示すように、バックプレート３２を開けた状態で、展示物出入機構３４により展示物Ｅを外部(例えば収容部２の背面から外部)に引き出すように構成しても良い。
【００２１】
ここで、展示物出入機構３４について、２つの構成例を挙げて具体的に説明する。
例えば図３(ａ)に示す展示物出入機構３４は、展示物Ｅを支持した状態でスライドさせることが可能なスライダ３６と、スライダ３６を一定方向Ｓに摺動自在に支持するガイド３８とを備えている。スライダ３６には、その両側に複数の車輪４０が回転自在に取り付けられており、一方、ガイド３８には、各車輪４０の走行面３８ａが形成されており、走行面３８ａは、スライダ３６の摺動方向に沿って延出している。この場合、スライダ３６をガイド３８から引き出したり、ガイド３８内に引っ込めたりする際、走行面３８ａに沿って各車輪４０が走行することにより、スライダ３６をガイド３８に沿って矢印Ｓ方向に滑らかに摺動させることができる。
【００２２】
また、スライダ３６には脱落防止体３６ａが設けられており、スライダ３６をガイド３８から引き出した際に、脱落防止体３６ａがガイド３８の端面３８ｂに突き当たることにより、それ以上スライダ３６をガイド３８から引き出せないようになっている。
更に、スライダ３６には展示物支持体４２が設けられており、この展示物支持体４２に展示物Ｅを支持させることができるようになっている。この場合、展示物支持体４２で展示物Ｅを支持した状態でスライダ３６をガイド３８内に引っ込めることにより、展示物Ｅを収容部(展示領域)２の所定位置にセットすることができる。
【００２３】
なお、展示物支持体４２の一例として、図面にはフックを示したが、これ以外に例えば展示物Ｅの一部を挟んで支持するもの(例えばクリップのようなもの)を適用しても良い。また、展示物支持体４２の個数は、展示物Ｅの大きさや重さに応じて適宜増減変更できるようになっている。
また、他のタイプの展示物出入機構３４として、例えば図３(ｂ)に示すように、スライダ３６をガイド３８で直接支持するように構成しても良い。この場合、スライダ３６とガイド３８とは互いに面接触となるため、摺動時の摩擦抵抗を軽減するような構成を施すことが好ましい。例えばスライダ３６とガイド３８との間に潤滑剤を介在させることが好ましい。
【００２４】
上述したような展示ケース(収容部２)に展示物Ｅを保管する場合、展示ケースの設置場所(例えば、博物館や美術館など)の環境により収容部２内の温度や湿度が変化すると、展示物Ｅの色褪せやひび割れ等が生じるおそれがある。
そこで、図１(ｂ),(ｃ)に示すように、本実施の形態の展示ケースには、収容部２内の環境を常時一定に維持するために、収容部２内の環境温度を一定に調節する温度調節機構４４と、収容部２内の環境湿度を一定に調節する湿度調節機構とが設けられている。この場合、環境温度及び環境湿度とは、外気から遮断された収容部２内の展示領域における温度及び湿度を指す。なお、図面において、温度調節機構４４は、バックプレート３２の４箇所に設けているが、展示ケースの大きさや設置場所の環境などに応じて、適宜増減変更することができる。
【００２５】
図５(ａ),(ｂ)に示すように、温度調節機構４４には、吸熱作用と加熱作用とを選択的に発揮させることが可能なペルチェ素子４６が設けられており、収容部２内の温度変化に従ってペルチェ素子４６の吸熱作用と加熱作用とを選択的に発揮させることにより、収容部２内の環境温度を一定に調節(維持)することができるようになっている。
ペルチェ素子４６は、ｐ形半導体とｎ形半導体(参照符号Ｐ,Ｎで示す)を銅電極４８で接合し、ｎ形半導体の方から直流電流を流すと、図５(ａ)のような吸熱作用及び加熱作用が生じ、これとは逆に、ｐ形半導体の方から直流電流を流すと、図５(ｂ)のような吸熱作用及び加熱作用が生じる。つまり、直流電流の流す方向を逆転することにより、熱の移動方向が逆転するため、ペルチェ素子４６は、吸熱素子及び加熱素子として併用することが可能である。
【００２６】
従って、図１(ｃ)に示すように、バックプレート３２の４箇所に温度調節機構４４を設けて、ペルチェ素子４６に流す直流電流の向きを制御することにより、収容部(展示領域)２内の環境温度を一定に調節することが可能となる。
この場合、ペルチェ素子４６に直流電流を流している間、ペルチェ素子４６自体も熱を帯びるため、温度調節機構４４には、ペルチェ素子４６自体の放熱を助けるための構成が施されている。図５(ｂ),(ｃ)には、その一例として、ヒートシンク５０と冷却ファン５２がペルチェ素子４６に装着されており、ペルチェ素子４６自体の熱は、ヒートシンク５０から冷却ファン５２を介して放熱される。
【００２７】
また、図１(ｂ),(ｃ)に示すように、湿度調節機構には、収容部２内の水蒸気を所定量だけ吸収する吸湿手段５４と、収容部２内に水蒸気を所定量だけ加える加湿手段５６とが設けられている。
吸湿手段５４としては、収容部２内の水蒸気を所定量だけ吸収する調湿保存剤が適用されており、調湿保存剤は、外ケース４の固定台４ａに設けられた吸湿室(図示しない)に収容されるようになっている。この場合、固定台４ａに設けられた取出扉５６を開くことにより吸湿室に調湿保存剤を収容することができる。なお、調湿保存剤としては、例えば塩化カルシウムやシリカゲル或いは生石灰などを適宜利用することができる。
加湿手段５６としては、市販の加湿器をそのまま利用しても良いし、例えば電気で水を加熱し蒸気として収容部２内に供給する装置、或いは、高圧にした水を収容部２内に直接噴霧する装置を適用しても良い。
【００２８】
また、温度調節機構４４及び加湿手段５６は、市販の湿温度コントローラ５８で制御できるようになっており、収容部２内には、環境温度を測定する温度測定器６０と環境湿度を測定する湿度測定器６２とが設けられている。なお、温度調節機構４４及び加湿手段５６並びに湿温度コントローラ５８は、電力供給ライン６４を介して外部電源(図示しない)に接続されている。
この場合、例えば収容部(展示領域)２の環境温度を２５℃前後、環境湿度を５５％に設定すると、収容部２内の水蒸気が調湿保存剤で吸収されている間、環境湿度が５５％を下回ったことを湿度測定器６２で測定したとき、湿度測定器６２から出力された測定信号に基づいて、湿温度コントローラ５８が加湿手段５６を駆動させ、収容部２内に水蒸気を加える。また、環境温度が２５℃を下回ったことを温度測定器６０で測定したとき、温度測定器６０から出力された測定信号に基づいて、湿温度コントローラ５８が温度調節機構４４を駆動させ、収容部２内の環境温度を上昇させる。
【００２９】
環境温度を上げる場合には、図５(ａ)の吸熱作用及び加熱作用を発揮するように、ペルチェ素子４６に流す直流電流の向きを制御すれば良い。これに対して、環境温度を下げる場合には、図５(ｂ)の吸熱作用及び加熱作用を発揮するように、ペルチェ素子４６に流す直流電流の向きを制御すれば良い。
このように、温度調節機構４４で収容部２内の温度調節を行うと共に、吸湿手段及び加湿手段で収容部２内の水蒸気量を所望値に調節することにより、収容部２内の環境温度及び環境湿度を一定に調節することができる。
【００３０】
なお、湿度調節機構の吸湿手段５４として、例えば富士シリシア化学株式会社製のアートソーブ(図示しない)を利用しても良い。アートソーブは、湿度が上がると湿気を吸い、下がると湿気を放出して環境湿度を一定に保たせるといった特性しており、湿度４０％〜７０％まで５％きざみで設定することができる。
また、収容部２に収容された展示物Ｅの酸化を防止するために、収容部２内を窒素ガス雰囲気に保つことが好ましい。この場合、図１に示した構成において、窒素ガスは、固定台４ａに設けられた取入口６６から収容部２内を循環した後、外枠４ｂの脱気口６８から放出されるようになっている。
【００３１】
また、収容部２内の環境を常時一定に維持する方法としては、図１に示した構成に限定されることは無く、例えば図６(ａ)〜(ｃ)に示すような構成としても良い。
図６(ａ)に示すように、この変形例の展示ケースにおいて、収容部２は、仕切り壁７０により展示領域Ｆ１と背面領域Ｆ２とに分割されており、仕切り壁７０の上部側において両領域F1,F2が連通した状態となっている。
また、湿度調節機構及び温度調節機構、並びに、これら各機構を制御するための湿温度コントローラ７２は、外ケース４の固定台４ａ(図１)に内蔵されており、取入口６６から収容部２の展示領域Ｆ１まで延出した配管７４上に配設されている。具体的には、配管７４上には、湿度調節機構である加湿手段７６及び吸湿手段７８が取入口６６側から順に配設されており、展示領域Ｆ１寄りに温度調節機構である加熱手段８０が配設されている。なお、取入口６６寄りの配管７４には、取入バルブ８２が設けられており、背面領域Ｆ２から延出した配管８４は、脱気バルブ８６を介して脱気口６８に連接している。
【００３２】
加湿手段７６及び吸湿手段７８並びに加熱手段８０の近傍には、それぞれの温度を測定するための温度計８８が設けられており、背面領域Ｆ２から延出した配管９０が３つに分岐し、その１つが第１バルブ９２を介して取入バルブ８２と加湿手段７６との間の配管７４に連接し、他の１つが第２バルブ９４を介して加湿手段７６と吸湿手段７８との間の配管７４に連接し、残りの１つが第３バルブ９６を介して吸湿手段７８と加熱手段８０との間の配管７４に連接している。
【００３３】
加湿手段７６としては、市販の加湿器をそのまま利用しても良いし、例えば電気で水を加熱し蒸気として供給する装置、或いは、高圧にした水を直接噴霧する装置を適用しても良い。
図６(ｂ)に示すように、吸湿手段７８には、多量の気孔を含んだ発砲金属９８と、収容部２内の水蒸気が発砲金属９８中を流れる際に当該水蒸気が飽和水蒸気となる温度まで冷却して結露させるためのペルチェ素子４６とが設けられている。この構成において、例えば、ペルチェ素子４６で冷却された状態の発砲金属９８中を水蒸気がＨ１からＨ２方向に流れたとすると、その間に水蒸気の一部が飽和水蒸気となって発砲金属９８中に結露し、除水室１００に落下する。これにより発砲金属９８を通過した後の水蒸気は、所望量だけ除水された状態となる。
【００３４】
このような除水処理中にペルチェ素子４６自体の放熱を助けるために、ヒートシンク１０２と冷却ファン１０４をペルチェ素子４６に装着することが好ましい。これにより、ペルチェ素子４６自体の熱を、ヒートシンク１０２から冷却ファン１０４を介して放熱させることができる。なお、ペルチェ素子４６の構成は、上述した図５と同様であるため、その説明は省略する。
また、発砲金属９８としては、例えば発砲アルミニウムを適用することができ、発砲アルミニウムは、例えば発泡スチロールのような多量の気孔を含んだ軽量で高剛性な特性を有する。このような発砲アルミニウムは、例えば溶融アルミニウム中に発泡剤を攪拌混合し、発泡剤が高温で熱分解して発生する水素ガスをアルミニウム中に留どめることにより形成することができる。
【００３５】
また、温度調節機構には、吸湿手段７８で冷却された水蒸気を所望の環境温度まで加熱する加熱手段８０が設けられている。
図６(ｂ)に示すように、加熱手段８０は、発砲金属１０６の外周にヒータ１０８を配設して構成されており、ヒータ１０８で発砲金属１０６を所定温度に加熱できるようになっている。なお、発砲金属１０６は、吸湿手段７８に用いられた発砲金属９８と同一であるため、その説明は省略する。この構成において、例えば、ヒータ１０８で加熱された状態の発砲金属１０６中を、吸湿手段７８で冷却された水蒸気がＴ１からＴ２方向に流れたとすると、その間に発砲金属１０６から水蒸気に熱が伝わる。これにより発砲金属１０６を通過した後の水蒸気は、所定温度まで加熱された状態となる。
このような加熱処理中にヒータ１０８自体の放熱を助けるために、ヒートシンク１１０と冷却ファン１１２をヒータ１０８に装着することが好ましい。これにより、ヒータ１０８自体の熱を、ヒートシンク１１０から冷却ファン１１２を介して放熱させることができる。
【００３６】
ここで、図６(ａ)に示す構成の動作について説明する。
まず、展示物Ｅの酸化防止を図るために、取入口６６から配管７４を介して収容部２内に窒素ガスを導入すると共に、同時に配管８４を介して脱気口６８から収容部２内の不要なガスを脱気した後、取入バルブ８２及び脱気バルブ８６を閉めて収容部２内を最適な窒素ガス雰囲気にする。この状態で収容部２内の湿温度の管理が行われる。ここでは、収容部２内の環境温度を２０℃、環境湿度を５０％に管理する場合を想定する。
いま、環境温度が２０℃、環境湿度が５０％に維持された状態から環境湿度が６０％(水蒸気量：１２.０４ｇ)に上がった場合、湿温度コントローラ７２は、吸湿手段７８及び加熱手段８０を動作させるように制御すると共に、第２バルブ９４のみを開いて収容部２内の窒素ガスを配管９０から配管７４を介して循環させる。
【００３７】
この場合、吸湿手段７８において、窒素ガスが飽和水蒸気となる約９℃まで冷却する。このとき、余分な水蒸気量(３.４４ｇ)が結露して除去される。続いて、加熱手段８０において、９℃に冷却された飽和水蒸気が２０℃まで加熱される。このような吸湿及び加熱処理を繰り返すことにより、収容部２内の環境温度を２０℃、環境湿度を５０％に管理することができる。
なお、上述した湿温度管理は一例であり、収容部２内の環境変化に伴って湿温度コントローラ７２は、加湿手段７６及び吸湿手段７８並びに加熱手段８０を適宜選択的に動作させるように制御することができる。
例えば、環境温度は正常値に維持され、環境湿度が下がったような場合には、第１バルブ９２を開いた状態で加湿手段７６が動作制御される。この場合、配管９０から加湿手段７６に送られた窒素ガスは、加湿手段７６で５０％まで加湿された後、配管７４を介して収容部２に循環され、かかる加湿処理が繰り返されることで、収容部２内の環境温度が２０℃、環境湿度が５０％に管理される。
【００３８】
以上、本実施の形態の展示ケースによれば、収容部(展示領域)２の環境温度や環境湿度を常時最適な状態に維持することができると共に、展示物Ｅの種類に応じた照明を行うことができ、更に、収容部(展示領域)２に対する展示物Ｅのセットや交換を簡単且つ短時間に行うことができる。
【産業上の利用可能性】
【００３９】
本発明は、博物館や美術館などにおいて、例えば美術品や印刷物等の展示物を鑑賞可能に保管するための各種の展示ケースに限らず、湿度や温度を調節する必要がある収容物に対して利用することが可能である。
【図面の簡単な説明】
【００４０】
【図１】(ａ)は、本発明の一実施の形態に係る展示ケースの正面側斜視図、(ｂ)は、本発明の一実施の形態に係る展示ケースの裏面側斜視図、(ｃ)は、本発明の一実施の形態に係る展示ケースの正面側分解斜視図。
【図２】(ａ)は、前面プレートを開けた状態で、展示物出入機構により展示物を外部に引き出す状態を示す図、(ｂ)は、バックプレートを開けた状態で、展示物出入機構により展示物を外部に引き出す状態を示す図。
【図３】(ａ)は、展示物出入機構の構成例を示す斜視図、(ｂ)は、展示物出入機構の他の構成例を示す斜視図。
【図４】(ａ)は、照明手段の構成例を示す分解斜視図、(ｂ)は、照明手段の他の構成例を示す斜視図、(ｃ)は、照明手段の他の構成例を示す斜視図。
【図５】(ａ)は、ペルチェ素子の構成を示す図であって、加熱作用状態を示す図、(ｂ)は、吸熱作用状態を示す図。
【図６】(ａ)は、収容部内の環境を常時一定に維持する展示ケースの変形例を示す図、(ｂ)は、吸湿手段の構成例を示す図、(ｃ)は、加熱手段の構成例を示す図。
【符号の説明】
【００４１】
２  収容部(展示領域)
４  外ケース
6,8,10,12,14  プレート
１６  照明手段
１８  発光ダイオード
２０  光源部
２２  導光板
２４  反射板
２６  切れ込み部
２８  光散乱部
３４  展示物出入機構
３６  スライダ
３８  ガイド
４０  車輪
４２  展示物支持体
４４  温度調節機構
４６  ペルチェ素子
４８  銅電極
５４  吸湿手段
５６  加湿手段
５８  湿温度コントローラ
【図１】
2005205034.tif 000003
【図２】
2005205034.tif 000004
【図３】
2005205034.tif 000005
【図４】
2005205034.tif 000006
【図５】
2005205034.tif 000007
【図６】
2005205034.tif 000008